(57)【要約】  スライド方式により開閉される窓戸でありながらも、ハンドルの操作によって窓を窓枠に水平移動して密着して気密性と水密性を確保することから、スライド方式の窓戸の問題点を解消しうる水平密着窓戸を提供する。当該水平密着窓戸は、窓枠の下部内側に敷設された直線状レールと、前記直線状レールに沿って往復動する窓ガラス付き可動窓体２０と、を備える窓戸であって、前記可動窓体は、前記窓ガラス面に垂直な方向に移動して窓枠に密着されることを特徴とする。
2013540220.tif 000002
【特許請求の範囲】
【請求項１】
窓枠の下部に敷設された直線状レールと、
前記直線状レールに沿って往復動する窓ガラス付き可動窓体（２０）と、
を備える窓戸であって、
前記可動窓体は、前記窓ガラス面に対して垂直な方向に移動して窓枠に密着されることを特徴とする水平密着窓戸。
【請求項２】
前記可動窓体の下部に配設され、前記レールに沿って移動するローラを有するローラハウジング（５０）と、
前記ローラハウジングから離れる方向に移動する下ランナー（６０）と、
をさらに備えることを特徴とする請求項１に記載の水平密着窓戸。
【請求項３】
前記ローラハウジングに固着されるガイドプレート（７０）と、
前記ガイドプレートに穿設されたガイド孔（７５）と、
前記ガイド孔に嵌合されて移動するガイドピン（６９）と、
をさらに備えることを特徴とする請求項２に記載の水平密着窓戸。
【請求項４】
前記下ランナー（６０）は、
ベースプレート（６４）と、
該ベースプレート（６４）の外側面に配置され、ハンドル（Ｈ）の回転によって移動されるロッドバー（６６）と、
該ロッドバー（６６）に固定されたガイド部材（６８）と、
をさらに備えることを特徴とする請求項２に記載の水平密着窓戸。
【請求項５】
所望の長さを有する円筒状に形成され、且つその両端が前記ベースプレートに固定されており、前記ローラハウジング（５０）の移動をガイドするローラハウジングガイド（８０）と、
前記ローラハウジングの両端に形成され、且つ前記ローラハウジングガイド（８０）が内部に挿入される貫通孔が形成されたローラハウジング取付部（５５）と、
を備えることを特徴とする請求項４に記載の水平密着窓戸。
【請求項６】
前記ローラハウジングガイド（８０）は、その両端が前記ベースプレート（６４）に固定される第１のガイド（８２）と、
中空の円筒状に形成され、その内部に前記第１のガイド（８２）が挿入されるように形成された第２のガイド（８４）と、
を備えることを特徴とする請求項５に記載の水平密着窓戸。
【発明の詳細な説明】
【技術分野】
【０００１】
本発明は水平密着窓戸に係り、さらに詳しくは、窓枠に敷設されたレールに沿って直線往復動をしながら開閉される窓が前記直線往復動方向に対して垂直な方向に移動して窓枠に完全に密着されることにより気密性が向上した窓戸システムに関する。
【背景技術】
【０００２】
一般に、窓戸とは、建物の壁面に設けられた窓枠と、前記窓枠に組み込まれた窓とを通称する用語である。窓戸は、外光を室内に取り入れる採光機能と、室内の空気を換気する換気機能と、室内と室外との間の熱伝達を遮断する冷暖房機能などといった機能を行う。
【０００３】
窓は、大きく、開閉方式によって、開き窓と引き窓とに大別できる。開き窓とは、蝶番を通じて窓枠に組み込まれた窓が前記蝶番を回転軸として回転しながら開閉される窓のことをいう。開き窓は、気密性、水密性及び耐風圧性に優れており、窓の立面分割及び構造保証が容易であるというメリットを有している。しかしながら、開き窓は、室内から眺める窓の立面が引き窓に比べてきれいではなく、特別な固定装置がない場合に窓が風によっていきなり開閉されてしまうという欠点がある。
【０００４】
引き窓とは、窓枠に敷設されたレールに嵌め込まれた窓が前記レールに沿って直線往復動をしながら開閉される窓のことをいう。引き窓は、室内から眺める窓戸の立面が開き窓に比べてきれいであるというメリットを有しているが、開き窓に比べて、気密性、水密性及び耐風圧性が良好ではないという欠点もある。
【発明の概要】
【発明が解決しようとする課題】
【０００５】
本出願人は従来の開き窓と引き窓の問題点を解決して、スライド方式の引き窓でありながらも、ハンドルの操作によって窓を窓枠に密着することにより、気密性と、水密性及び耐風圧性を確保した窓戸を提供することを目的とする。
【０００６】
また、上記の機能を有するとともに内部に開かれる開き窓の場合に、回転半径によって内部の生活空間が侵害されるが、本発明は、開き窓の性能を有しながらも生活空間の侵害が起こらない窓戸を提供することを目的とする。
【課題を解決するための手段】
【０００７】
本発明は、窓枠の下部内側に敷設された直線状レールと、前記直線状レールに沿って往復動する窓ガラス付き可動窓体２０と、を備える窓戸であって、前記可動窓体は、前記窓ガラス面に対して垂直な方向に移動して窓枠に密着されることを特徴とする水平密着窓戸を提供する。
【０００８】
本発明に係る水平密着窓戸は、前記直線状レールに沿って移動するローラを有するローラハウジング５０と、前記ローラハウジングから離れる方向に移動する下ランナー６０と、前記ローラハウジングに固着されるガイドプレート７０と、前記ガイドプレートに穿設されたガイド孔７５と、前記ガイド孔に嵌合されて移動するガイドピン６９と、所定の長さを有する円柱状を呈し、両先端は前記ベースプレートに固定されて前記ローラハウジング５０の移動を案内するローラハウジングガイド８０と、前記ローラハウジングの両端に形成され、前記ローラハウジングガイド８０が嵌合される貫通口を有するローラハウジング取付部５５と、をさらに備えていてもよい。
【０００９】
前記ローラハウジングガイド８０は、前記ベースプレート６４に両先端が固定される第１のガイド８２と、前記第１のガイド８２が嵌合される中空の円筒状の第２のガイド８４と、を備えていてもよい。
【発明の効果】
【００１０】
本発明によれば、スライド方式の窓戸でありながら、ハンドルの操作によって窓を窓枠に水平移動して密着して気密性と水密性を確保することから、スライド方式の窓戸の問題点を解消することができる。
【図面の簡単な説明】
【００１１】
【図１】Ａ及びＢは、本発明に係る窓戸の作動方式を説明するための概略斜視図である。
【図２】Ａ及びＢは、本発明に係る窓戸の作動方式を示す縦断面図である。
【図３】本発明に係る窓戸の窓に設けられるハードウェアを示す斜視図である。
【図４】図３のＡ部分を拡大して示す部分分解斜視図である。
【図５】図４の構成のうちの一部の構成の底面部を示す斜視図である。
【図６】図４の構成のうちの一部の構成の底面部を示す斜視図である。
【図７】本発明に係る窓戸の一部の構成のみを示す斜視図である。
【図８】本発明に係る窓戸の一部の構成要素のみを示す斜視図である。
【発明を実施するための形態】
【００１２】
以下、添付図面に基づき、本発明の一実施形態に係る水平密着窓戸について詳述する。以下で用いられた用語や単語は通常的または辞書的な意味に限定して解釈されてはならず、発明者はその自分の発明を最良の方法により説明するために用語の概念を適切に定義することができるという原則に即して本発明の技術的思想に合う意味として解釈されるべきである。
【００１３】
図１Ａ及び図１Ｂは、本発明に係る窓戸の作動方式を説明するための概略斜視図であり、図２Ａ及び図２Ｂは、本発明に係る窓戸の作動方式を示す縦断面図である。
【００１４】
本発明に係る窓戸は、図１Ａに示すように、建物の壁面に設けられる窓枠１０と、前記窓枠１０に嵌め込まれる窓体２０、２５と、を備える。前記窓体は、窓枠１０の所定の位置に固定される不動の固定窓体２５と、窓枠１０の下部に敷設されるレール（図示略）に沿って移動しながら窓戸を開閉する可動窓体２０と、を備え、それぞれは、窓ガラスｗを備えている。前記可動窓体２０は、窓枠１０と平行な状態を維持したまま窓枠１０に敷設されたレールに沿って第１の方向（図１Ａ及び図１Ｂに示すＡ方向）に直線往復動をして窓が開閉される。また、可動窓体２０は、窓枠１０と平行な状態を維持したまま窓枠１０を向く方向、すなわち、前記窓ガラスｗがなす面に対して垂直な第２の方向（図１Ｂに示すＢ方向）に移動して窓枠１０と密着して気密を維持しながら完全に密閉される（このような方式により窓枠に密着する窓戸を以下では「水平密着窓戸」と称する）。
【００１５】
本発明に係る水平密着窓戸は、可動窓体２０が窓枠に敷設された直線状レールに沿って第１の方向（Ａ方向）に移動して開閉され、また、第２の方向（Ｂ方向）に移動して完全に密閉されて気密性を維持したままでロックされるところに特徴がある。
【００１６】
本発明に係る水平密着窓戸においては、可動窓体２０が３次元的に動くため、可動窓体の位置を定義する必要がある。以下、「開位置」は、可動窓体２０がスライドして窓が開いた位置を意味し、「閉位置」は、前記開位置から窓が第１の方向（Ａ方向）にスライドして窓枠の開口部分を閉塞して室内が密閉された状態を意味し、「ロック位置」は、閉位置から可動窓体２０が窓枠１０と平行な状態を維持したままで窓枠１０が位置している第２の方向（Ｂ方向）に移動して窓枠１０と完全に密着された位置を意味する。
【００１７】
図２Ａ及び図２Ｂは、それぞれ本発明に係る水平密着窓戸が開位置とロック位置にある場合におけるこれらを縦方向断面の様子を示す。すなわち、水平密着窓戸が開位置にある場合（図２Ａ）には、可動窓体２０が窓枠１０に完全に密着せず、これらの間には所定の距離だけ離れた隙間Ｇが存在する。また、この隙間Ｇを介して室内外の空気が互いに循環して室内空気の換気を行うことができる。換言すれば、本発明の窓戸は、可動窓体が開いていない閉状態でも可動窓体と窓枠との間には所定の距離だけの隙間が存在するため換気を行うことができる。また、このときには、換気は行われるが、外から窓を開けないようにロック機能が設定されていてもよい。なお、水平密着窓戸がロック位置にある場合（図２Ｂ）には、可動窓体２０が窓枠１０に完全に密着されてこれらの間には隙間が存在せず、このため、完全に密閉されるのである。
【００１８】
以下、本発明に係る水平密着窓戸の可動窓体２０が前記第２の方向に動く原理について説明する。
【００１９】
図３は、本発明に係る窓戸の窓に設けられるハードウェアを示す斜視図であり、前記ハードウェアは、前記可動窓体の概ね外周縁を囲繞するように設けられる。なお、図４は、図３のＡ部分を拡大して示す部分分解斜視図である。
【００２０】
水平密着窓戸の可動窓体２０は、図３に示すように、ハードウェア３０と、前記ハードウェアの外表面に被覆される外皮（スキン）（図示略）と、ユーザがつかんで窓の開閉動作を行うように前記ハードウェアの縦部材に設けられたハンドルＨと、を備える。前記ハードウェア３０は、矩形枠状を呈し、可動窓体の側面を囲繞した状態で取り付けられ、前記ハンドルＨの回し動作に伴い、リンクを介して動力を伝達する役割を果たす。
【００２１】
また、前記ハードウェア３０の下部横部材には、図４に示すように、下ランナー６０とローラハウジング５０が設けられる。ローラハウジング５０は、窓枠１０に敷設された直線状レール上で自転するローラ５２を収容して可動窓体を前記第１の方向に移動可能にし、下ランナー６０は、後述する原理によって可動窓体を前記第２の方向に移動可能にする。
【００２２】
下ランナー６０は、ベースプレート６４と、ベースプレート６４の外面に取り付けられてハンドルＨの回転力を受けて直線方向に移動するロッドバー６６と、前記ロッドバー６６に固着されるガイド部材６８と、コーナドライブ４０に形成された孔に嵌合可能にロッドバー６６に形成されたコーナドライブ連結ピン６２と、を備える。ユーザが前記ハンドルＨを回すと、回転力は、コーナドライブ４０と、コーナドライブ連結ピン６２と、ロッドバー６６及びガイド部材６８にこの順に伝わってガイド部材が直線移動する。ガイド部材６８の直線移動によって下ランナー６０が前記図１ＢのＢ方向に移動して水平密着がなされる（後述する）。
【００２３】
前記可動窓体２０が開位置にある場合に、下ランナー６０はローラハウジング５０から約２０ｍｍ離れており、可動窓体２０が閉位置からロック位置に移動する場合に下ランナー６０は平行に移動してローラハウジング５０と密着される。
【００２４】
図５及び図６は、図４の構成のうちの一部の構成の底面部を示す斜視図である。図５は、開位置にあるとき、下ランナー及びローラハウジングを下から見上げた底面斜視図であり、図６は、ロック位置にあるとき、下ランナー及びローラハウジングを下から見上げた底面斜視図である。
【００２５】
図５を参照すると、ローラ５２付きローラハウジング５０には、ガイドプレート７０が強固に固着される。前記ガイドプレート７０には、略Ｖ字状のガイド孔７５が形成される。また、前記ローラハウジング５０は、前記下ランナー６０に相対的な移動が可能なように取り付けられる。ローラハウジング５０の両側端には、下ランナー６０に取り付けられる個所であるローラハウジング取付部５５が設けられる。ローラハウジング取付部５５には貫通口（図示略）が形成されており、前記貫通口には円柱状のローラハウジングガイド８０が嵌合される。前記ローラハウジングガイド８０は、所定の長さを有する円柱状を呈し、長手方向の両先端は前記ベースプレート６４に固定される。なお、ローラハウジング５０は、両側のローラハウジング取付部５５が前記ローラハウジングガイド８０に取り付けられた状態でローラハウジングガイド８０の長手方向（図５における上下方向）に移動自在になっている。
【００２６】
また、前記ロッドバー６６にはガイド部材６８が取り付けられ、前記ガイド部材６８の一方の側にはガイドピン６９が形成され、前記ガイドピン６９は、前記ガイドプレート７０のガイド孔７５に嵌合されて移動自在に配置される。ロッドバー６６に前記ガイド部材６８が取り付けられる様子及びガイド部材６８に形成されたガイドピン６９の様子などは図７に詳細に示してある。
【００２７】
その作動原理について説明すると、ユーザがハンドルＨを回してロッドバー６６が図５における右側に移動すると、前記ロッドバー６６に取り付けられたガイドピン６９が前記ガイド孔７５の内部に力を加えながら右側に移動する。このとき、ガイドプレート７０は、前記ガイドピンの力を受けて、図５における上側に移動し、ガイドプレート付きローラハウジング５０もまた上側に移動する。このとき、前記ローラハウジング５０のローラハウジング取付部５５は、前記ローラハウジングガイド８０に沿って上側に移動する。これらの過程を経て前記ガイドピン６９がガイド孔７５の他方の先端に達すると、前記ローラハウジング５０のローラハウジング取付部５５は、前記ローラハウジングガイド８０の他方の先端（上側）に達する（図６の状態）。
【００２８】
このように作動することにより、ユーザのハンドル操作によって前記ローラハウジング５０と前記ベースプレート６４との相対的な距離が変わり、これにより、前記ベースプレート上に取り付けられる可動窓体２０とローラ５２との相対的な距離が変わる結果、可動窓体を窓枠に水平密着することが可能になる。
【００２９】
図８には、前記ローラハウジング５０のローラハウジング取付部５５の貫通口に嵌合される円柱状のローラハウジングガイド８０が示してある。前記ローラハウジングガイド８０は、前記ベースプレート６４に両先端が取り付けられる第１のガイド８２と、前記第１のガイド８２が嵌合される中空の円筒状の第２のガイド８４と、を備える。但し、前記ローラハウジングガイド８０の形状は必ずしもこれに限定されるわけではなく、前記第１のガイドと第２のガイドとが一体に形成されてもよい。
【００３０】
水平密着窓戸の可動窓体２０が開いた状態で、ハンドルの角度を、例えば、０°としたとき（図５の状態）、前記ガイドピン６９は前記ガイド孔７５の一方の先端に位置し、下ランナー６０がローラハウジング５０から最大限に離れた個所に位置する。また、ハンドルＨが約９０°回されると、ガイドピン６９が前記ガイド孔７５の略中央部に位置し、下ランナー６０はローラハウジング５０に密着される。次いで、ハンドルをさらに回して約１８０°になると、ガイドピン６９は前記ガイド孔７５の反対側の先端に位置し、窓は窓枠に完全に密着される（図６の状態）。
【００３１】
以上述べたように、本発明は、窓枠に敷設された直線状レール上を可動窓体が移動して窓が開閉されるが、前記可動窓体は窓枠に向かって密着される構造を有することから、引き窓の欠点である密閉機能を完璧に実現して外部空気の流入を遮断し、室内と室外との熱伝達を遮断する他、外部の騒音を完璧に遮断するといった効果が得られる。
【符号の説明】
【００３２】
１０  ・・・窓枠
２０  ・・・可動窓体
２５  ・・・固定窓体
５０  ・・・ローラハウジング
５５  ・・・ローラハウジング取付部
６０  ・・・下ランナー
６４  ・・・ベースプレート
６６  ・・・ロッドバー
６８  ・・・ガイド部材
６９  ・・・ガイドピン
７０  ・・・ガイドプレート
７５  ・・・ガイド孔
８０  ・・・ローラハウジングガイド
８２  ・・・第１のガイド
８４  ・・・第２のガイド
Ｈ  ・・・ハンドル
【図１ａ】
2013540220.tif 000003
【図１ｂ】
2013540220.tif 000004
【図２ａ】
2013540220.tif 000005
【図２ｂ】
2013540220.tif 000006
【図３】
2013540220.tif 000007
【図４】
2013540220.tif 000008
【図５】
2013540220.tif 000009
【図６】
2013540220.tif 000010
【図７】
2013540220.tif 000011
【図８】
2013540220.tif 000012
【国際調査報告】
2013540220.tif 000013
2013540220.tif 000014